【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
撮像素子により撮像された画像から被写体を検出する被写体検出手段と、
前記被写体検出手段により検出された被写体にフォーカスを合わせるように撮像光学系を駆動するフォーカス制御手段と、
撮影準備処理と本撮影処理とを繰り返す連写撮影を行う撮影制御手段と、
前記本撮影処理により得られた画像を用いて前記撮像光学系の合焦位置を検出する焦点検出手段と、
前記被写体検出手段による検出結果に基づいて次回の本撮影処理の際の撮像範囲内における被写体の位置を予測する予測手段と、
前記予測手段により予測された被写体の位置に対して焦点検出領域を設定する設定手段と、
前記設定手段により設定された焦点検出領域に関する信頼性を求める信頼性取得手段と、
前記焦点検出手段により検出された前記撮像光学系の合焦位置から被写体の移動量を求める被写体移動量取得手段と、を有し、
前記フォーカス制御手段は、前記連写撮影における本撮影処理の前に前記被写体検出手段による検出結果が得られるまでは、前記信頼性と前記被写体の移動量とに基づいて前記撮像光学系を駆動する場合に前記焦点検出手段による前回の本撮影処理までの検出結果が示す合焦位置を用いることを特徴とする撮像装置。
【請求項２】
前記焦点検出手段は、前記撮像素子により撮像された一対の像信号に相関演算を施すことによって合焦位置を算出することを特徴とする請求項１に記載の撮像装置。
【請求項３】
前記フォーカス制御手段は、前記信頼性が高いと判定し、かつ前記被写体の移動量が大きいと判定した場合は、前記被写体検出手段による検出結果が得られるまでは前記焦点検出手段による前回の本撮影処理までの検出結果が示す合焦位置の方向に前記撮像光学系を駆動し、前記被写体検出手段による検出結果が得られた場合は、今回の本撮影処理での検出結果が示す合焦位置に前記撮像光学系を駆動することを特徴とする請求項１または２に記載の撮像装置。
【請求項４】
前記フォーカス制御手段は、前記信頼性が高いと判定し、かつ前記被写体の移動量が小さいと判定した場合は、前記焦点検出手段による前回の本撮影処理までの検出結果が示す合焦位置に前記撮像光学系を駆動することを特徴とする請求項１または２に記載の撮像装置。
【請求項５】
前記焦点検出手段は、前記フォーカス制御手段により前記撮像光学系を移動しながら前記撮像素子により得られる画像の輝度信号の高周波成分が極大になる位置を合焦位置とする第２の焦点検出手段を有し、
前記フォーカス制御手段は、前記信頼性が低いと判定し、かつ前記被写体の移動量が大きいと判定した場合は、前記被写体検出手段による検出結果が得られるまでは前記焦点検出手段による前回の本撮影処理までの検出結果が示す合焦位置の方向に前記撮像光学系を駆動し、前記被写体検出手段による検出結果が得られた場合は、前記第２の焦点検出手段により検出された合焦位置に前記撮像光学系を駆動することを特徴とする請求項１または２に記載の撮像装置。
【請求項６】
前記焦点検出手段は、前記フォーカス制御手段により前記撮像光学系を移動しながら前記撮像素子により得られる画像の輝度信号の高周波成分が極大になる位置を合焦位置とする第２の焦点検出手段を有し、
前記フォーカス制御手段は、前記信頼性が低いと判定し、かつ前記被写体の移動量が小さいと判定した場合は、前記被写体検出手段による検出結果が得られるまでは前記撮像光学系の駆動は行わず、前記被写体検出手段による検出結果が得られた場合は、前記第２の焦点検出手段により検出された合焦位置に前記撮像光学系を駆動することを特徴とする請求項１または２に記載の撮像装置。
【請求項７】
前記被写体検出手段は人物の顔を検出することを特徴とする請求項１ないし６のいずれか１項に記載の撮像装置。
【請求項８】
撮像素子により撮像された画像から被写体を検出する被写体検出手段と、
前記被写体検出手段により検出された被写体にフォーカスを合わせるように撮像光学系を駆動するフォーカス制御手段と、
撮影準備処理と本撮影処理とを繰り返す連写撮影を行う撮影制御手段と、
前記本撮影処理により得られた画像を用いて前記撮像光学系の合焦位置を検出する焦点検出手段と、を有する撮像装置の制御方法であって、
予測手段が、前記被写体検出手段による検出結果に基づいて次回の本撮影処理の際の撮像範囲内における被写体の位置を予測する予測ステップと、
設定手段が、前記予測ステップにより予測された被写体の位置に対して焦点検出領域を設定する設定ステップと、
信頼性取得手段が、前記設定ステップにより設定された焦点検出領域に関する信頼性を求める信頼性取得ステップと、
被写体移動量取得手段が、前記焦点検出手段により検出された前記撮像光学系の合焦位置から被写体の移動量を求める被写体移動量取得ステップと、
前記フォーカス制御手段が、前記連写撮影における本撮影処理の前に前記被写体検出手段による検出結果が得られるまでは、前記信頼性と前記被写体の移動量とに基づいて前記撮像光学系を駆動する場合に前記焦点検出手段による前回の本撮影処理までの検出結果が示す合焦位置を用いるフォーカス制御ステップと、を有することを特徴とする撮像装置の制御方法。
【請求項９】
コンピュータを、請求項１ないし７のいずれか１項に記載された撮像装置の各手段として機能させるためのプログラム。
【請求項１０】
コンピュータを、請求項１ないし７のいずれか１項に記載された撮像装置の各手段として機能させるためのプログラムを記憶したコンピュータが読み取り可能な記憶媒体。
【手続補正２】
【補正対象書類名】明細書
【補正対象項目名】０００９
【補正方法】変更
【補正の内容】
【０００９】
上記課題を解決するために、本発明の撮像装置は、撮像素子により撮像された画像から被写体を検出する被写体検出手段と、前記被写体検出手段により検出された被写体にフォーカスを合わせるように撮像光学系を駆動するフォーカス制御手段と、撮影準備処理と本撮影処理とを繰り返す連写撮影を行う撮影制御手段と、前記本撮影処理により得られた画像を用いて前記撮像光学系の合焦位置を検出する焦点検出手段と、前記被写体検出手段による検出結果に基づいて次回の本撮影処理の際の撮像範囲内における被写体の位置を予測する予測手段と、前記予測手段により予測された被写体の位置に対して焦点検出領域を設定する設定手段と、前記設定手段により設定された焦点検出領域に関する信頼性を求める信頼性取得手段と、前記焦点検出手段により検出された前記撮像光学系の合焦位置から被写体の移動量を求める被写体移動量取得手段と、を有し、前記フォーカス制御手段は、前記連写撮影における本撮影処理の前に前記被写体検出手段による検出結果が得られるまでは、前記信頼性と前記被写体の移動量とに基づいて前記撮像光学系を駆動する場合に前記焦点検出手段による前回の本撮影処理までの検出結果が示す合焦位置を用いる。
【手続補正３】
【補正対象書類名】明細書
【補正対象項目名】００１９
【補正方法】変更
【補正の内容】
【００１９】
システム制御部１０６は、撮影シーケンスなど装置全体を制御するＣＰＵやＭＰＵを備える。特に、システム制御部１０６は、後述するように撮影準備処理と本撮影処理とを交互に繰り返す連写撮影を行う撮影制御手段、連写撮影中のＡＦ（フォーカスレンズ１０１の移動）を制御するフォーカス制御手段、および撮像光学系としてのフォーカスレンズ１０１の合焦位置を検出する焦点検出手段として機能する。また、システム制御部１０６は、本発明に係る被写体の位置を予測する予測手段、焦点検出領域を設定する設定手段、位相差ＡＦより求められた合焦位置の信頼性を求める信頼性取得手段、および被写体の移動量を求める被写体移動量取得手段として機能する。
【手続補正４】
【補正対象書類名】明細書
【補正対象項目名】００４２
【補正方法】変更
【補正の内容】
【００４２】
このように、第２スイッチ１１０がオン、つまり本撮影指示が継続している間は本撮影処理とＥＶＦ処理を繰り返すことによって、表示部１１１にライブビュー画像を表示するＥＶＦ処理を挿入した連写撮影を行う。